(57)【要約】複数の物品を運搬するカートン。本カートンは、カートンの内部の周りに少なくとも部分的に延びる複数のパネルを備えることができる。複数のパネルは、トップパネルと、少なくとも１つのサイドパネルと、少なくとも１つのボトムパネルとを含むことができる。少なくとも１つの保持タブが、少なくとも１つのボトムパネルに折曲可能に接続されている。少なくとも１つの保持タブは、複数の物品のうちの１つの物品の少なくとも一部に係合するものとすることができる。少なくとも１つのコーナーフラップが、少なくとも１つのサイドパネルに折曲可能に接続されている。少なくとも１つの保持タブ及び少なくとも１つのコーナーフラップのそれぞれは、カートンにおける少なくとも１つのコーナー開口部の隣に配置することができる。【選択図】図４
2016533975.tif 000002
【特許請求の範囲】
【請求項１】
複数の物品を運搬するカートンであって、該カートンは、
前記カートンの内部の周りに少なくとも部分的に延びる複数のパネルであって、トップパネルと、少なくとも１つのサイドパネルと、少なくとも１つのボトムパネルとを含む、複数のパネルと、
前記少なくとも１つのボトムパネルに折曲可能につながっている少なくとも１つの保持タブであって、前記複数の物品のうちの１つの物品の少なくとも一部に係合するものである、少なくとも１つの保持タブと、
前記少なくとも１つのサイドパネルに折曲可能につながっている少なくとも１つのコーナーフラップであって、前記少なくとも１つの保持タブ及び該少なくとも１つのコーナーフラップのそれぞれが、該カートンにおける少なくとも１つのコーナー開口部の隣に配置される、少なくとも１つのコーナーフラップと、
を備える、カートン。
【請求項２】
前記少なくとも１つのコーナーフラップは、前記少なくとも１つのコーナー開口部の隣で、折曲線に沿って前記少なくとも１つのサイドパネルにそれぞれ折曲可能につながっている、第１のコーナーフラップ及び第２のコーナーフラップを含む、請求項１に記載のカートン。
【請求項３】
前記第１のコーナーフラップ及び前記第２のコーナーフラップは、第１の切れ目線に沿って互いに分離可能であり、前記第１のコーナーフラップ及び前記第２のコーナーフラップのそれぞれは、それぞれの第２の切れ目線及び第３の切れ目線に沿って前記第１のサイドパネル又は前記第２のサイドパネルから分離可能である、請求項２に記載のカートン。
【請求項４】
前記少なくとも１つの保持タブは、前記少なくとも１つのコーナー開口部の底端部において、弧状の折曲線に沿って前記少なくとも１つのボトムパネルに折曲可能につながっており、前記少なくとも１つのコーナーフラップは、前記少なくとも１つのコーナー開口部の反対側の端部において、折曲線に沿って前記少なくとも１つのサイドパネルに折曲可能につながっている、請求項１に記載のカートン。
【請求項５】
前記少なくとも１つのサイドパネルは、第１の折曲線に沿って前記少なくとも１つのボトムパネルに折曲可能につながっており、前記少なくとも１つのサイドパネルには、第２の折曲線が延び、該少なくとも１つのサイドパネルは、前記第１の折曲線と前記第２の折曲線との間に延びるボトムコーナーパネルを含む、請求項１に記載のカートン。
【請求項６】
前記少なくとも１つのコーナー開口部は、前記ボトムコーナーパネル内に少なくとも部分的に延びる、請求項５に記載のカートン。
【請求項７】
前記少なくとも１つの保持タブは、第３の折曲線に沿って前記少なくとも１つのボトムパネルに折曲可能につながっており、前記少なくとも１つのコーナーフラップは、第４の折曲線に沿って前記少なくとも１つのサイドパネルに折曲可能につながっており、前記第３の折曲線及び前記第４の折曲線のそれぞれの少なくとも一部は、前記第１の折曲線及び前記第２の折曲線のそれぞれから離間している、請求項５に記載のカートン。
【請求項８】
前記少なくとも１つの保持タブは、前記少なくとも１つのボトムパネルから概ね上方に折り曲げられて、前記物品のリセスに係合し、前記少なくとも１つのコーナーフラップは、前記少なくとも１つのコーナー開口部に少なくとも部分的に受けられる前記物品の側部に係合するものである、請求項１に記載のカートン。
【請求項９】
前記少なくとも１つの保持タブ及び前記少なくとも１つのコーナーフラップは、前記少なくとも１つのボトムパネルにおける少なくとも１つの係止機能部と略位置合わせされる、請求項１に記載のカートン。
【請求項１０】
前記少なくとも１つのサイドパネルは、第１のサイドパネル及び第２のサイドパネルを含み、前記少なくとも１つのボトムパネルは、それぞれの前記第１のサイドパネル及び前記第２のサイドパネルに折曲可能につながっている第１のボトムパネル及び第２のボトムパネルを含み、前記少なくとも１つの保持タブは、前記第１のボトムパネルに折曲可能につながっている少なくとも１つの第１の保持タブと、前記第２のボトムパネルに折曲可能につながっている少なくとも１つの第２の保持タブとを含み、前記少なくとも１つのコーナーフラップは、前記第１のサイドパネルに折曲可能につながっている少なくとも１つの第１のコーナーフラップと、前記第２のサイドパネルに折曲可能につながっている少なくとも１つの第２のコーナーフラップとを含む、請求項１に記載のカートン。
【請求項１１】
前記少なくとも１つのコーナー開口部は、前記物品の一部をそれぞれ少なくとも部分的に受けるものである、少なくとも１つの第１のコーナー開口部及び少なくとも１つの第２のコーナー開口部を含む、請求項１０に記載のカートン。
【請求項１２】
前記少なくとも１つの第１の保持タブ及び前記少なくとも１つの第１のコーナーフラップは、前記少なくとも１つの第１のコーナー開口部の隣にあり、前記少なくとも１つの第２の保持タブ及び前記少なくとも１つの第２のコーナーフラップは、前記少なくとも１つの第２のコーナー開口部の隣にある、請求項１１に記載のカートン。
【請求項１３】
前記第１のボトムパネル及び前記第２のボトムパネルは、それぞれの縦折曲線に沿ってそれぞれの前記第１のサイドパネル及び前記第２のサイドパネルに折曲可能につながっており、前記第１のボトムパネルには、少なくとも１つの第１のボトム係止機能部が配置され、前記第２のボトムパネルには、少なくとも１つの第２のボトム係止機能部が配置され、前記少なくとも１つの第１の保持タブと、前記少なくとも１つの第１のボトム係止機能部と、前記少なくとも１つの第２の保持タブと、前記少なくとも１つの第２のボトム係止機能部とは、横方向に沿って概ね位置合わせされる、請求項１０に記載のカートン。
【請求項１４】
トップコーナー開口部の隣で前記少なくとも１つのサイドパネルに折曲可能につながっている少なくとも２つのトップコーナーフラップであって、前記物品の頂部を少なくとも部分的に受けるものであり、前記トップコーナー開口部は前記トップパネルの隣にある、少なくとも２つのトップコーナーフラップを更に備える、請求項１に記載のカートン。
【請求項１５】
前記少なくとも１つのボトムパネルは、第１の縦折曲線に沿って前記少なくとも１つのサイドパネルに折曲可能につながっており、該少なくとも１つのサイドパネルは、第２の縦折曲線に沿って前記トップパネルに折曲可能につながっており、前記少なくとも１つの保持タブと、前記少なくとも１つのコーナー開口部と、前記少なくとも１つのトップコーナー開口部とは、横方向において概ね位置合わせされる、請求項１４に記載のカートン。
【請求項１６】
前記少なくとも１つのサイドパネルに折曲可能につながっている少なくとも１つの端部フラップであって、前記カートンの端部を少なくとも部分的に閉鎖するものである、少なくとも１つの端部フラップを更に備える、請求項１に記載のカートン。
【請求項１７】
複数の物品を保持するカートンを形成するブランクであって、該ブランクは、
トップパネルと、少なくとも１つのサイドパネルと、少なくとも１つのボトムパネルとを含む、複数のパネルと、
前記少なくとも１つのボトムパネルに折曲可能につながっている少なくとも１つの保持タブと、
前記少なくとも１つのサイドパネルに折曲可能につながっている少なくとも１つのコーナーフラップであって、前記少なくとも１つの保持タブは、該ブランクから形成される前記カートンにおける少なくとも１つのコーナー開口部を形成するように、少なくとも１つの切れ目線に沿って該少なくとも１つのコーナーフラップから少なくとも部分的に分離可能である、少なくとも１つのコーナーフラップと、
を備える、ブランク。
【請求項１８】
前記少なくとも１つのコーナーフラップは、折曲線に沿って前記少なくとも１つのサイドパネルにそれぞれ折曲可能につながっている、第１のコーナーフラップ及び第２のコーナーフラップを含む、請求項１７に記載のブランク。
【請求項１９】
前記第１のコーナーフラップ及び前記第２のコーナーフラップは、第１の切れ目線に沿って互いに分離可能であり、前記第１のコーナーフラップ及び前記第２のコーナーフラップのそれぞれは、それぞれの第２の切れ目線及び第３の切れ目線に沿って前記第１のサイドパネル又は前記第２のサイドパネルから分離可能である、請求項１８に記載のブランク。
【請求項２０】
前記少なくとも１つの保持タブは、前記ブランクから前記カートンが形成される場合、前記少なくとも１つのコーナー開口部の底端部において、弧状の折曲線に沿って前記少なくとも１つのボトムパネルに折曲可能につながっており、前記少なくとも１つのコーナーフラップは、前記ブランクから前記カートンが形成される場合、前記少なくとも１つのコーナー開口部の反対側の端部において、折曲線に沿って前記少なくとも１つのサイドパネルに折曲可能につながっている、請求項１７に記載のブランク。
【請求項２１】
前記少なくとも１つのサイドパネルは、第１の折曲線に沿って前記少なくとも１つのボトムパネルに折曲可能につながっており、前記少なくとも１つのサイドパネルには、第２の折曲線が延び、該少なくとも１つのサイドパネルは、前記第１の折曲線と前記第２の折曲線との間に延びるボトムコーナーパネルを含む、請求項１７に記載のブランク。
【請求項２２】
前記少なくとも１つのコーナーフラップは、前記ボトムコーナーパネル内に少なくとも部分的に延びる、請求項２１に記載のブランク。
【請求項２３】
前記少なくとも１つの保持タブは、第３の折曲線に沿って前記少なくとも１つのボトムパネルに折曲可能につながっており、前記少なくとも１つのコーナーフラップは、第４の折曲線に沿って前記少なくとも１つのサイドパネルに折曲可能につながっており、前記第３の折曲線及び前記第４の折曲線のそれぞれの少なくとも一部は、前記第１の折曲線及び前記第２の折曲線のそれぞれから離間している、請求項２１に記載のブランク。
【請求項２４】
前記少なくとも１つの保持タブ及び前記少なくとも１つのコーナーフラップは、前記少なくとも１つのボトムパネルにおける少なくとも１つの係止機能部と略位置合わせされる、請求項１７に記載のブランク。
【請求項２５】
前記少なくとも１つのサイドパネルは、第１のサイドパネル及び第２のサイドパネルを含み、前記少なくとも１つのボトムパネルは、それぞれの前記第１のサイドパネル及び前記第２のサイドパネルに折曲可能につながっている第１のボトムパネル及び第２のボトムパネルを含み、前記少なくとも１つの保持タブは、前記第１のボトムパネルに折曲可能につながっている少なくとも１つの第１の保持タブと、前記第２のボトムパネルに折曲可能につながっている少なくとも１つの第２の保持タブとを含み、前記少なくとも１つのコーナーフラップは、前記第１のサイドパネルに折曲可能につながっている少なくとも１つの第１のコーナーフラップと、前記第２のサイドパネルに折曲可能につながっている少なくとも１つの第２のコーナーフラップとを含む、請求項１７に記載のブランク。
【請求項２６】
前記第１のボトムパネル及び前記第２のボトムパネルは、それぞれの縦折曲線に沿ってそれぞれの前記第１のサイドパネル及び前記第２のサイドパネルに折曲可能につながっており、前記第１のボトムパネルには、少なくとも１つの第１のボトム係止機能部が配置され、前記第２のボトムパネルには、少なくとも１つの第２のボトム係止機能部が配置され、前記少なくとも１つの第１の保持タブと、前記少なくとも１つの第１のボトム係止機能部と、前記少なくとも１つの第２の保持タブと、前記少なくとも１つの第２のボトム係止機能部とは、横方向に沿って概ね位置合わせされる、請求項２５に記載のブランク。
【請求項２７】
トップコーナー開口部の隣で前記少なくとも１つのサイドパネルに折曲可能につながっている少なくとも２つのトップコーナーフラップであって、前記物品の頂部を少なくとも部分的に受けるものであり、前記トップコーナー開口部は前記トップパネルの隣にある、少なくとも２つのトップコーナーフラップを更に備える、請求項１７に記載のブランク。
【請求項２８】
前記少なくとも１つのボトムパネルは、第１の縦折曲線に沿って前記少なくとも１つのサイドパネルに折曲可能につながっており、該少なくとも１つのサイドパネルは、第２の縦折曲線に沿って前記トップパネルに折曲可能につながっており、前記少なくとも１つの保持タブと、前記少なくとも１つのトップコーナー開口部とは、横方向において概ね位置合わせされる、請求項２７に記載のブランク。
【請求項２９】
前記少なくとも１つのサイドパネルに折曲可能につながっている少なくとも１つの端部フラップであって、前記ブランクから形成される前記カートンの端部を少なくとも部分的に閉鎖するものである、少なくとも１つの端部フラップを更に備える、請求項１７に記載のブランク。
【請求項３０】
複数の物品を保持するカートンを形成する方法であって、該方法は、
複数のパネルを備えるブランクを得ることであって、該複数のパネルは、トップパネルと、少なくとも１つのサイドパネルと、少なくとも１つのボトムパネルと、該少なくとも１つのボトムパネルに折曲可能につながっている少なくとも１つの保持タブと、前記少なくとも１つのサイドパネルに折曲可能につながっている少なくとも１つのコーナーフラップとを含み、前記少なくとも１つの保持タブは、少なくとも１つの切れ目線に沿って、前記少なくとも１つのコーナーフラップから少なくとも部分的に分離可能であることと、
前記複数のパネルによって少なくとも部分的に画定される前記カートンの内部を形成することであって、前記少なくとも１つのボトムパネルを前記少なくとも１つのサイドパネルに対して折り曲げることを含むことと、
前記少なくとも１つの保持タブを前記複数の物品のうちの１つの物品の底部と少なくとも部分的に係合させることであって、前記カートンにおけるコーナー開口部を少なくとも部分的に形成することと、
を含む、方法。
【請求項３１】
前記カートンの前記内部を形成することは、前記少なくとも１つの保持タブを係合させることと、該少なくとも１つの保持タブを係合させた後に前記少なくとも１つのボトムパネルを前記少なくとも１つのサイドパネルに対して内側に折り曲げることとの前に、前記少なくとも１つのボトムパネルを前記少なくとも１つのサイドパネルに対して外側に折り曲げることを含む、請求項３０に記載の方法。
【請求項３２】
前記少なくとも１つのボトムパネルを外側に折り曲げることにより、前記少なくとも１つの保持タブを前記少なくとも１つのコーナーフラップから少なくとも部分的に分離し、前記少なくとも１つのボトムパネルを内側に折り曲げることにより、前記少なくとも１つの保持タブを前記物品の前記底部におけるリセスに少なくとも部分的に差し込む、請求項３１に記載の方法。
【請求項３３】
前記少なくとも１つのサイドパネルは、第１のサイドパネル及び第２のサイドパネルを含み、前記少なくとも１つのボトムパネルは、それぞれの前記第１のサイドパネル及び前記第２のサイドパネルに折曲可能につながっている第１のボトムパネル及び第２のボトムパネルを含み、前記少なくとも１つの保持タブは、前記第１のボトムパネルに折曲可能につながっている少なくとも１つの第１の保持タブと、前記第２のボトムパネルに折曲可能につながっている少なくとも１つの第２の保持タブとを含み、
前記カートンの前記内部を形成することは、前記少なくとも１つの保持タブを係合させる前に、前記第１のボトムパネル及び前記第２のボトムパネルをそれぞれの前記第１のサイドパネル及び前記第２のサイドパネルに対して外側に折り曲げることと、前記少なくとも１つの保持タブに係合させた後に、前記第１のボトムパネルを前記第１のサイドパネルに対して内側に折り曲げることと、次に前記第２のボトムパネルを前記第２のサイドパネルに対して内側に折り曲げることとを含む、請求項３０に記載の方法。
【請求項３４】
前記第１のボトムパネル及び前記第２のボトムパネルを外側に折り曲げることにより、前記少なくとも１つの第１の保持タブ及び前記少なくとも１つの第２の保持タブをそれぞれの前記第１のボトムパネル及び前記第２のボトムパネルから少なくとも部分的に分離し、前記第１のボトムパネルを内側に折り曲げることにより、前記少なくとも１つの第１の保持タブを前記物品の前記底部におけるリセスに少なくとも部分的に差し込み、前記第２のボトムパネルを内側に折り曲げることにより、前記少なくとも１つの第２の保持タブを前記物品の前記底部における前記リセスに少なくとも部分的に差し込む、請求項３３に記載の方法。
【発明の詳細な説明】
【技術分野】
【０００１】
［関連出願の相互参照］
本願は、２０１３年１０月２５日付けで出願された米国仮特許出願第６１／９６１，８８２号の利益を主張する。
【０００２】
［参照による援用］
２０１３年１０月２５日付けで出願された米国仮特許出願第６１／９６１，８８２号の開示は、その全体が本開示に提示されているかのように全ての目的で引用することにより本明細書の一部をなす。
【０００３】
本開示は、包括的には、製品容器又は他のタイプの物品を保持して分配するキャリア及びカートンに関する。
【背景技術】
【０００４】
概して、本開示の１つの態様は、複数の物品を運搬するカートンに関する。カートンは、複数の物品のうちの１つの物品の少なくとも一部に係合する少なくとも１つの保持タブと、少なくとも１つのコーナーフラップとを備える。少なくとも１つの保持タブ及び少なくとも１つのコーナーフラップのそれぞれは、カートンにおける少なくとも１つのコーナー開口部の隣に配置される。
【０００５】
別の態様において、本開示は、包括的には、複数の物品を運搬するカートンに関する。本カートンは、カートンの内部の周りに少なくとも部分的に延びる複数のパネルを備えることができる。複数のパネルは、トップパネルと、少なくとも１つのサイドパネルと、少なくとも１つのボトムパネルとを含むことができる。少なくとも１つの保持タブが、少なくとも１つのボトムパネルに折曲可能に接続されている。少なくとも１つの保持タブは、複数の物品のうちの１つの物品の少なくとも一部に係合するものとすることができる。少なくとも１つのコーナーフラップが、少なくとも１つのサイドパネルに折曲可能に接続されている。少なくとも１つの保持タブ及び少なくとも１つのコーナーフラップのそれぞれは、カートンにおける少なくとも１つのコーナー開口部の隣に配置することができる。
【０００６】
別の態様において、本開示は、包括的には、複数の物品を保持するカートンを形成するブランクに関する。本ブランクは、トップパネルと、少なくとも１つのサイドパネルと、少なくとも１つのボトムパネルとを含む複数のパネルを備えることができる。少なくとも１つの保持タブが、少なくとも１つのボトムパネルに折曲可能に接続されている。少なくとも１つのコーナーフラップが、少なくとも１つのサイドパネルに折曲可能に接続されている。少なくとも１つの保持タブは、ブランクから形成されるカートンにおける少なくとも１つのコーナー開口部を形成するように、少なくとも１つの切れ目線に沿って少なくとも１つのコーナーフラップから少なくとも部分的に分離可能とすることができる。
【０００７】
別の態様において、本開示は、複数の物品を保持するカートンを形成する方法に関する。本方法は、複数のパネルを備えるカートンブランクを得ることを含むことができる。複数のパネルは、トップパネルと、少なくとも１つのサイドパネルと、少なくとも１つのボトムパネルと、少なくとも１つのボトムパネルに折曲可能につながっている少なくとも１つの保持タブと、少なくとも１つのサイドパネルに折曲可能につながっている少なくとも１つのコーナーフラップとを含む。少なくとも１つの保持タブは、少なくとも１つの切れ目線に沿って少なくとも１つのコーナーフラップから少なくとも部分的に分離可能とすることができる。本方法は、複数のパネルによって少なくとも部分的に画定されるカートンの内部を形成することを更に含むことができる。内部を形成することは、少なくとも１つのボトムパネルを少なくとも１つのサイドパネルに対して折り曲げることを含むことができる。また、本方法は、少なくとも１つの保持タブを複数の物品のうちの１つの物品の底部と少なくとも部分的に係合させることを含むことができる。少なくとも１つの保持タブを係合させることは、カートンにおけるコーナー開口部を少なくとも部分的に形成することができる。
【０００８】
本開示の他の態様、特徴、及び詳細は、図面と組み合わせた例示的な実施形態の以下の詳細な説明の参照及び添付の特許請求の範囲から、より完全に理解することができる。
【０００９】
当業者は、図面を参照して実施形態の以下の詳細な説明を読むことによって、上記の利点、並びに多様な追加の実施形態の他の利点及び利益を理解するであろう。更に、以下で説明する図面の多様な特徴は、必ずしも一定の縮尺比で描かれているとは限らない。図面における多様な特徴及び要素の寸法は、本開示の実施形態をより明確に示すために拡大又は縮小されている場合がある。
【図面の簡単な説明】
【００１０】
【図１】本開示の例示的な一実施形態に係るカートンを形成するのに用いられるブランクの外面の平面図である。
【図２Ａ】図１のブランクのそれぞれの部分の平面図である。
【図２Ｂ】図１のブランクのそれぞれの部分の平面図である。
【図３】図１のブランクのそれぞれの部分の平面図である。
【図４】カートン内の複数の物品との複数の保持タブの係合を示す、例示的な実施形態に係る部分的に組み立てられたカートンの底面斜視図である。
【図５】カートン内の複数の物品との複数の保持タブの係合を示す、例示的な実施形態に係る部分的に組み立てられたカートンの底面斜視図である。
【図６】カートン内の複数の物品との複数の保持タブの係合を示す、例示的な実施形態に係る部分的に組み立てられたカートンの底面斜視図である。
【図７】例示的な実施形態に係るカートンの底部を覆うように折り曲げられたボトムパネルを示す、カートンの底面斜視図である。
【発明を実施するための形態】
【００１１】
対応する部分は、図面を通して対応する参照符号によって示されている。
【００１２】
本開示は概して、容器、ボトル、缶等のような物品を収容するカートン又はキャリアの種々の特徴に関する。物品は、例えば、パーソナルケア製品及び食料品に用いることができる。物品は、特定の製品を包装するのに適した組成の材料から作ることができ、その材料は、アルミニウム及び／又は他の金属、ガラス、ＰＥＴ、ＬＤＰＥ、ＬＬＤＰＥ、ＨＤＰＥ、ＰＰ、ＰＳ、ＰＶＣ、ＥＶＯＨ、及びナイロン等のようなプラスチック、又はそれらの任意の組み合わせを含むが、これらに限定はされない。
【００１３】
本開示に係るカートンすなわちキャリアは、任意の形状の物品を収容することができる。本開示の範囲を限定することを目的とせず、説明することを目的として、以下の詳細な説明では、キャリアの実施形態の中に配置される製品容器（例えばプラスチック製パーソナルケア容器）について説明する。本明細書において、「内側」、「内部」、「外側」、「外部」、「下側」、「ボトム／底（部）」、「上側」、及び「トップ／頂（部）」という用語は、完全に構築されて直立したカートンに関して決定される向きを示す。
【００１４】
図１は、本開示の例示的な一実施形態に係るカートン５（図７）を形成するのに用いられるブランク３の外面２の平面図である。カートン５は、容器Ｃ（図４〜図７）等の複数の物品を収容するのに用いることができる。図示の実施形態では、容器Ｃは、製品容器（例えば、消臭剤容器及び／又は他の好適な物品）であり、カートン５は、１×１２構成の単一層で１２個の容器Ｃを収容するようにサイズ決めされている。しかしながら、カートン５は、２つ以上の層、及び／又は様々な横列／縦列構成（例えば、１×６、２×３、２×６、２×４、２×２、２×６×２、２×４×２、２×９等）で、異なる数量若しくは同じ数量の容器Ｃを保持するようなサイズ及び形状にすることができることが理解される。図示の実施形態では、カートン５は、容器Ｃの底部Ｂに係合する底部用保持機能部９と、容器Ｃの頂部（図示せず）に係合する頂部用保持機能部１１とを有することができる。
【００１５】
図示の実施形態では、ブランク３は、カートン５における少なくとも部分的に閉鎖する端部（図示せず）を形成することができる端部６、８を有し、カートンは、容器Ｃの周りに巻き付けることができる（例えば、カートン５は、巻付けカートン（wrap-around carton）と称することができる）。カートン５は、端部６、８が端部フラップ若しくは他の閉鎖機構等によって概ね開放されるか又は完全に閉鎖されるように、別様な形状及び構成とすることができる。
【００１６】
ブランク３は、縦軸Ｌ１及び横軸Ｌ２を有する。図示の実施形態では、ブランク３は、第１の縦折曲線２４において第１のサイドパネル２２に折曲可能につながっているトップパネル２０と、第２の縦折曲線２８において第１のサイドパネル２２に折曲可能につながっている第１のボトムパネル２６と、第３の縦折曲線３２においてトップパネル２０に折曲可能につながっている第２のサイドパネル３０と、第４の縦折曲線３６において第２のサイドパネル３０に折曲可能につながっている第２のボトムパネル３４とを備える。図示の実施形態では、第１のサイドパネル２２は、縦折曲線２８及び４０によって画定される第１のボトムコーナーパネル３８を含む。第２のサイドパネル３０は、縦折曲線３６及び４４によって画定される第２のボトムコーナーパネル４２を含む。更に、第１のサイドパネル２２は、縦折曲線２４及び４８によって画定される第１のトップコーナーパネル４６を含むことができ、第２のサイドパネル３０は、縦折曲線３２及び５２によって画定される第２のトップコーナーパネル５０を含むことができる。
【００１７】
組み立てられたカートン５では内側ボトムパネルフラップである第１のボトムパネル２６は、第２のボトムパネル３４の雄側の主係止タブ突出部５４に係合するような形状になっているとともにその突出部に係合するように位置決めされている、雌側の主係止縁部５３を形成するカットアウト（cutouts：切欠部）を含む。また、第１のボトムパネル２６は、第２のボトムパネル３４のそれぞれの外側にある副係止タブ突出部５８ａ、５８ｂを受けるように形状決め及び配置された非対称的なスリット５６ａ及び略対称的なスリット５６ｂを有する。副係止タブ突出部５８ａは、非対称的なスリット５６ａと対応するように非対称的とすることができ、副係止タブ突出部５８ｂは、対称的なスリット５６ｂと対応するように略対称的とすることができる。したがって、非対称的な副係止タブ５８ａは、単一のツメ（prong）５９ａ（図２Ｂ）を有することができ、非対称的なスリット５６ａは、それぞれの非対称的な副係止タブ５８ａの単一のツメ５９ａを受ける単一のサイドカット５７ａ（図２Ａ）を有することができる。対称的な副係止タブ５８ｂは、２つのツメ５９ｂ（図２Ｂ）を有することができ、対称的なスリット５６ｂは、それぞれの対称的な副係止タブ５８ｂのそれぞれのツメ５９ｂを受ける２つのサイドカット５７ｂ（図２Ａ）を有することができる。
【００１８】
図示の実施形態では、非対称的なスリット５６ａ及び対称的なスリット５６ｂのそれぞれのサイドカット５７ａ、５７ｂは、湾曲することができ、それぞれの係止フラップ６１（図２Ａ）を少なくとも部分的に画定することができる。図１及び図２Ａに示すように、係止フラップ６１のそれぞれは、それぞれの縦折曲線６３に沿って第１のボトムパネル２６に折曲可能に接続されており、また、それぞれの縦方向カット６５に沿って第１のボトムパネル２６から少なくとも部分的に分離可能とすることができる。したがって、係止フラップ６１は、第１のボトムパネル２６に対して内側に折り曲げて、副係止タブがそれぞれのスリット５６ａ、５６ｂに受けられる場合、それぞれの副係止タブ５８ａ、５８ｂに係合することができる。
【００１９】
１つの実施形態において、完成したカートン５における外側のボトムパネルである第２のボトムパネル３４は、雄側の主係止タブ突出部５４（図２Ｂ）を少なくとも部分的に画定するスリット５５によって中断される、縦折曲線６０を有する。更に、副係止タブ突出部５８ａ、５８ｂのそれぞれは、縦折曲線６２を有することができる。ブランク３の係止要素は、カートン５との使用に好適な特定のボトムパネル係止構成の実例を示すように説明されているが、本開示から逸脱することなく、ボトムパネル係止構造の任意の代替的な形態を使用することができることが理解される。例えば、スリット５６ａ、５６ｂの全て及び／又は副係止突出部５８ａ、５８ｂの全てを、対称的又は非対称的とすることができる。
【００２０】
図１〜図２Ｂに示すように、底部用保持機能部９は、第１のボトムコーナーパネル３８に延在する１列の第１の保持機能部６４と、第２のボトムコーナーパネル４２に延在する１列の第２の保持機能部６６とを含むことができる。図２Ａに示すように、第１の保持機能部６４のそれぞれは、２つのコーナーフラップ７０に隣接する保持タブ６８を備える。図示の実施形態では、第１の保持機能部６４のそれぞれにおける保持タブ６８は、折曲線７２（例えば弧状の折曲線）に沿って第１のボトムパネル２６に折曲可能に接続されており、第１の保持機能部６４のそれぞれにおけるコーナーフラップ７０は、折曲線７４に沿って第１のサイドパネル２２に折曲可能に接続されている。１つの実施形態において、折曲線７２、７４は、保持タブ６８が折曲線２８を中断するとともにコーナーフラップ７０が折曲線４０を中断するように、それぞれの折曲線２８、４０からオフセットすることができる。代替的には、折曲線７２、７４は、それぞれの折曲線２８、４０と同一線上にあることもできるし、別様な形態とすることもできる。図１及び図２Ａに示すように、保持タブ６８のそれぞれは、湾曲した切れ目線７５に沿って第１のボトムパネル２６及び第１のボトムコーナーパネル３８から分離可能であり、また、切れ目線７６に沿って隣接するコーナーフラップ７０から分離可能である。第１の保持機能部６４のそれぞれのコーナーフラップ７０は、切れ目線７８に沿って互いに分離可能である。代替的な一実施形態において、切れ目線７６、７８は、引裂線、開口、又は他の好適な形状部で置き換えることができる。図２Ａに示すように、コーナーフラップ７０は、それぞれの切れ目線８０に沿って第１のサイドパネル２２及び第１のボトムコーナーパネル３８から分離可能であり、それぞれの切れ目線８０を中断するそれぞれのニック（nick：接続部）８２において第１のボトムコーナーパネル３８につながっている。代替的な一実施形態において、コーナーフラップ７０は、（例えば、折曲線、引裂線、又は他の好適な形状部に沿って）第１のボトムコーナーパネル３８に折曲可能に別様に接続されており、及び／又は、第１のボトムコーナーパネル３８から分離可能とすることができる。
【００２１】
図２Ｂに示すように、第２の保持機能部６６のそれぞれは、２つのコーナーフラップ８６に隣接する保持タブ８４を備える。図示の実施形態では、第２の保持機能部６６のそれぞれにおける保持タブ８４は、折曲線８８に沿って第２のボトムパネル３４に折曲可能に接続され、第２の保持機能部６６のそれぞれにおけるコーナーフラップ８６は、折曲線９０に沿って第２のサイドパネル３０に折曲可能に接続されている。１つの実施形態において、折曲線８８、９０は、保持タブ８４が折曲線３６を中断するとともにコーナーフラップ８６が折曲線４４を中断するように、それぞれの折曲線３６、４４からオフセットすることができる。代替的には、折曲線８８、９０は、それぞれの折曲線３６、４４と同一線上にあることもできるし、別様な形態とすることもできる。図１及び図２Ｂに示すように、保持タブ８４のそれぞれは、湾曲した切れ目線９１に沿って第２のボトムパネル３４及び第２のボトムコーナーパネル４２から分離可能であり、また、切れ目線９２に沿って隣接するコーナーフラップ８６から分離可能である。第２の保持機能部６６のそれぞれのコーナーフラップ８６は、切れ目線９４に沿って互いに分離可能である。代替的な一実施形態において、切れ目線９２、９４は、引裂線、開口、又は他の好適な形状部で置き換えることができる。図２Ｂに示すように、コーナーフラップ８６は、それぞれの切れ目線９６に沿って第２のサイドパネル３０及び第２のボトムコーナーパネル４２から分離可能であり、また、それぞれの切れ目線９６を中断するそれぞれのニック９８において第２のボトムコーナーパネル４２につながっている。代替的な一実施形態において、コーナーフラップ８６は、（例えば、折曲線、引裂線、又は他の好適な形状部に沿って）第２のボトムコーナーパネル４２に折曲可能に別様に接続されており、及び／又は、第２のボトムコーナーパネル４２から分離可能とすることができる。
【００２２】
図示の実施形態では、保持タブ６８、８４のそれぞれは、それぞれの容器Ｃの底部ＢにおけるリセスＲ（図４〜図７）の少なくとも一部に係合するように配置される。第１のボトムコーナー形状部６４及び／又は第２のボトムコーナー形状部６６のうちの１つ又は複数は、本開示から逸脱することなく、省略することもできるし、別様な形状、構成、配置、及び／又は形態とすることもできる。
【００２３】
図１及び図３に示すように、頂部用保持機能部１１は、第１のトップコーナーパネル４６における１列の保持機能部１００と、第２のトップコーナーパネル５０における１列の保持機能部１０２とを含む。保持機能部１００のそれぞれは、開口１０６の隣に２つのコーナーフラップ１０４を備えることができ、保持機能部１０２のそれぞれは、開口１１０の隣に２つのコーナーフラップ１０８を備えることができる。コーナーフラップ１０４は、それぞれの折曲線１１２に沿って第１のトップコーナーパネル４６に折曲可能に接続されており、コーナーフラップ１０８は、それぞれの折曲線１１４に沿って第２のトップコーナーパネル５０に折曲可能に接続されている。図示の実施形態では、コーナーフラップ１０４は、切れ目線１１６に沿って第１のサイドパネル２２から分離可能であり、また、切れ目線１１８に沿って互いに分離可能とすることができる。コーナーフラップ１０８は、切れ目線１２０に沿って第２のサイドパネル３０から分離可能であり、また、切れ目線１２２に沿って互いに分離可能とすることができる。１つの実施形態において、突出部１２４は、開口１０６、１１０の隣でトップパネル２０から延びることができる。図１及び図３に示すように、突出部１２４は折曲線２４、３２を中断することができ、コーナーフラップ１０４は折曲線４８を中断することができ、コーナーフラップ１０８は折曲線５２を中断することができる。保持機能部１００、１０２のうちの１つ又は複数は、本開示から逸脱することなく、省略することもできるし、別様な形状、構成、配置、及び／又は形態とすることもできる。
【００２４】
１つの実施形態において、第１のサイドパネル２２は、第１のサイド端部フラップ１２６及び第２のサイド端部フラップ１２８に折曲可能につながっており、第２のサイドパネル３０は、第１のサイド端部フラップ１３０及び第２のサイド端部フラップ１３２に折曲可能につながっている。カートン５が構築される場合、サイド端部フラップ１２６、１３０はカートンの第１の端部６を閉鎖し、サイド端部フラップ１２８、１３２はカートンの第２の端部８を閉鎖する。本開示の代替的な一実施形態によれば、カートンの端部６、８を閉鎖するのに、異なるフラップ構成を用いることができる。
【００２５】
図１に示すように、端部フラップ１２６、１３０は、ブランク３の第１の辺縁領域に沿って延び、ブランクの幅に沿って延びる第１の横折曲線１３４において折曲可能に接続されている。端部フラップ１２８、１３２は、ブランク３の第２の辺縁領域に沿って延び、同様にブランクの幅に沿って延びる第２の横折曲線１３６において折曲可能に接続されている。横折曲線１３４、１３６は、例えば、ブランク厚さ又は他の要因のために、略直線としてもよいし、１つ又は複数の場所でオフセットしてもよい。ブランク３は、本開示から逸脱することなく、他の端部フラップ構成を有することができる。
【００２６】
図示の実施形態では、ブランク３は、ブランクの中心線に沿って延びる横方向の引裂線１３８を有することができる。したがって、横方向の引裂線１３８を操作して、構築されるカートン５を２つの部分に分離することができる。引裂線１３８は、本開示から逸脱することなく、省略することもできるし、別様な配置、形状、及び／又は構成とすることもできる。例えば、引裂線１３８は、ブランク３の中心線からオフセットすることができる。１つの代替的な実施形態において、ブランク３は、カートン５内の容器Ｃにアクセスするためのディスペンサー機能部を有することができる。
【００２７】
図４〜図７に示すように、カートン５は、ブランク３を容器Ｃの周りに巻き付け、底部用保持機能部９が容器Ｃのリセス形状部Ｒに係合するように機能化された状態で、第１のボトムパネル２６と第２のボトムパネル３４とを相互係止させることにより、構築することができる。図４に示すように、容器Ｃは、容器Ｃの頂部（図示せず）が頂部用保持機能部１１と位置合わせすることができるように、トップパネル２０において１列に構成される。サイドパネル２２、３０は、容器Ｃの頂部がコーナーフラップ１０４、１０８に接触して開口１０６、１１０（図示せず）に受けられるように、それぞれの折曲線２４、３２に沿って上方に折り曲げることができる。サイドパネル２２、３０が折り曲げられると、ボトムパネル２６、３４を、それぞれの折曲線２８、３６に沿って外側に折り曲げることができる。図４に示すように、ボトムパネルを外側に折り曲げることにより、保持タブ６８、８４がそれぞれのボトムコーナーパネル３８、４２から分離することができ、それぞれの折曲線７２、８８に沿って折れ曲がる。それに応じて、サイドパネル２２、３０が容器の側部との接触状態にされる場合、保持タブ６８、８４を容器ＣのリセスＲと位置合わせすることができる。１つの実施形態において、保持タブ６８、８４は、例えば道具によって押すことなく、折り曲げる間にそれぞれのコーナーパネル３８、４２から分離することができる。代替的には、保持タブは、例えば好適な道具を用いて、それぞれのコーナーパネルから分離させることができる。
【００２８】
図５及び図６に示すように、第１のボトムパネル２６は、容器Ｃの底部Ｂを覆うように折り曲げることができ、保持タブ６８は、下方へそれぞれの容器のそれぞれのリセスＲに押し込むことができる。１つの実施形態において、保持タブ６８は、ボトムパネル２６が折曲線２８に沿ってカートン５の底部を覆うように折り曲げられる場合、回転させて容器のリセスＲに入れることができる。代替的には、保持タブ６８は、例えば好適な道具によってリセスＲに押し込むことができる。図示の実施形態では、コーナーフラップ７０は、それぞれの容器Ｃの底部Ｂとの接触により、ニック８２において折曲線７４を中心にして外側に折り曲げることができる。したがって、容器Ｃの底部Ｂは、それぞれの第１の保持機能部６４に形成されたそれぞれの開口１４２内に延びることができる。
【００２９】
同様に、図７に示すように、第２のボトムパネル３４は、容器Ｃの底部Ｂ及び第１のボトムパネル２６を覆うように折り曲げることができ、保持タブ８４は、下方へそれぞれの容器のそれぞれのリセスＲに押し込むことができる。１つの実施形態において、保持タブ８４は、ボトムパネル３４が折曲線３６に沿ってカートン５の底部を覆うように折り曲げられる場合、回転させて容器のリセスＲに入れることができる。代替的には、保持タブ８４は、例えば好適な道具によってリセスＲに押し込むことができる。図示の実施形態では、コーナーフラップ８６は、それぞれの容器Ｃの底部Ｂとの接触により、ニック９８において折曲線９０を中心にして外側に折り曲げることができる。したがって、容器Ｃの底部Ｂは、それぞれの第２の保持機能部６６に形成されたそれぞれの開口１４４内に延びることができる。
【００３０】
１つの実施形態において、第２のボトムパネル３４は、まず雄側の主係止タブ５４を雌側の主係止縁部５３とそれぞれ係合させることにより、第１のボトムパネル２６に固定される。雄側の主係止タブ５４は、第２のボトムパネルを折曲線６０に沿って折り曲げることによって第２のボトムパネル３４から分離することができ、それにより、雄側の副係止フラップ５８ａ、５８ｂが概ね上方に延びる。雄側の主係止フラップ５４が雌側の係止縁部５３と係合されると、雄側の副係止フラップ５８ａ、５８ｂは、それぞれのスリット５６ａ、５６ｂにそれぞれ挿通されるとともに、それぞれのスリット５６ａ、５６ｂと協働するように相互作用し、第２のボトムパネル３４を第１のボトムパネル２６に更に固定する。相互係止されたボトムパネル２６、３４は協働して、キャリア５のボトムパネル１４０を形成する。
【００３１】
カートン５の端部６、８は、第１の端部６において端部フラップ１２６、１３０を重ね合わせるとともに、端部フラップ１３０を（例えば、糊線、糊タブ、又は他の好適な機能部において）端部フラップ１２６に接着することと、第２の端部８において端部フラップ１２８、１３２を重ね合わせるとともに、端部フラップ１３２を（例えば、糊線、糊タブ、又は他の好適な機能部において）端部フラップ１２８に接着することとにより、閉鎖することができる（図示せず）。カートン５は、本開示から逸脱することなく、代替的な形成ステップを用いて形成することができる。
【００３２】
図示の実施形態では、折り曲げられた複数の保持タブ６８、８４が容器ＣのリセスＲと係合することにより、カートン５内の容器Ｃの移動を防止することができ、また、容器Ｃがカートン５から押し出されることを防止することができる。加えて又は代替的には、折り曲げられた複数の保持タブ６８、８４が容器ＣのリセスＲと係合することにより、カートンにかかる外部の力によるカートン５への損傷を低減することができる。カートン５は、本開示から逸脱することなく、別様な形状、構成、配置、及び／又は形態とすることができる。
【００３３】
概して、本開示によるブランクは、通常の紙よりも重く硬質であるような厚さを有する厚紙で作成してもよい。ブランクは、ボール紙等の他の材料、又はカートンが少なくとも概して上述したように機能することができるようにするのに適した特性を有する任意の他の材料で作成することもできる。ブランクは、例えばクレーコーティングでコーティングすることができる。続いて、クレーコートティング上に製品、広告及び他の情報又は画像を印刷してもよい。続いて、ブランクに印刷されている情報を保護するように、ブランクをワニスでコーティングすることができる。ブランクは、ブランクの片面又は両面を、例えば防湿層でコーティングすることもできる。ブランクは、選択されたパネル又はパネルセクションに１つ又は複数のシート状材料を積層又はコーティングすることもできる。
【００３４】
例示的な実施形態によれば、折曲線は、それに沿った折り曲げを容易にする、必ずしも直線状ではないが実質的に線状の任意の弱化形態とすることができる。本開示の範囲を狭めるためではないが、より詳細には、折曲線は、所望の弱化線に沿って材料に圧潰部分すなわち凹部分を作る鈍いスコアリングナイフ等で形成される線等のスコア線、所望の弱化線に沿って材料に部分的に入れ込んだ切れ目、及び／又は所望の弱化線に沿って材料を部分的に貫通する一連の切れ目及び／又は材料を完全に貫通する一連の切れ目、並びにこれらの機能部の種々の組み合わせを含む。折曲線を形成するのに切れ目付け（cutting）が用いられる状況において、切れ目付けは通常、分別のあるユーザーが折曲線を誤って引裂線とみなす可能性があるように過度には深く（extensive）ない。
【００３５】
上記実施形態は、カートンの実施形態を構築する間に糊によって互いに接着される１つ又は複数のパネルを有するものとして説明することができる。「糊」という用語は、カートンパネルを適所に固定するのに一般的に用いられる全ての態様の接着剤を包含することが意図される。
【００３６】
本開示の前述の説明は、種々の例示的な実施形態を例示及び説明するものである。本開示の趣旨及び範囲から逸脱することなく、種々の追加、変更、変形等を例示的な実施形態に対して行うことができる。上記説明に含まれるか又は添付図面に示されている全ての事項が、限定的な意味ではなく例示として解釈されることが意図される。加えて、本開示は、本開示の選択された実施形態のみを図示及び説明しているが、本開示は、種々の他の組み合わせ、変更形態、及び環境で用いることが可能であり、本明細書で述べられているような発明概念の範囲内の変形若しくは変更、上記教示と同等の変形若しくは変更、及び／又は関連技術分野の技術若しくは知識内にある変形若しくは変更を行うことが可能である。更に、各実施形態のいくつかの機能部及び特徴を、選択的に入れ替えて、本開示の他の説明された実施形態及び説明されていない実施形態に適用することができる。
【図１】
2016533975.tif 000003
【図２Ａ】
2016533975.tif 000004
【図２Ｂ】
2016533975.tif 000005
【図３】
2016533975.tif 000006
【図４】
2016533975.tif 000007
【図５】
2016533975.tif 000008
【図６】
2016533975.tif 000009
【図７】
2016533975.tif 000010
【国際調査報告】
2016533975.tif 000011
2016533975.tif 000012